(57)【特許請求の範囲】
【請求項１】
エアバッグと、前記エアバッグ内にガスを噴出するインフレータと、衝突を検知する検知手段と、前記検知手段からの信号により前記インフレータを作動させる制御手段と、を備え、車両外側でフロントピラーに沿って配置された前記エアバッグを膨張させるエアバッグ装置において、
前記エアバッグに設けた挿通部に挿通され、一端を前記車両又は前記エアバッグ装置に係止され、他端側で車両に固定された挿通部材に挿通し折り返され、他端を前記エアバッグに係止された展開位置規制手段を備えたことを特徴とするエアバッグ装置。
【請求項２】
前記挿通部は、少なくとも前記エアバッグ主膨張部の車両側と、パイプ接続部に設けられることを特徴とする請求項１記載のエアバッグ装置。
【発明の詳細な説明】
【技術分野】
【０００１】
本発明は、車両が衝突対象と衝突した時等の緊急時に、インフレータ等からのガスにより車両外部に膨張展開して、衝突対象や車両にかかる衝撃を緩和するためのエアバッグ装置の技術分野に属するものである。
【背景技術】
【０００２】
従来、車両と歩行者等との衝突時に、エアバッグを車両のピラー部分の外側に膨張させ、該歩行者等が車両と再衝突する衝撃を緩和させるものがある。
【０００３】
例えば、フロントピラーの上部前方にエアバッグ袋体を膨張させる際、カバーを車幅方向外側へ展開し、エアバッグ袋体を車幅方向内方へ向かって膨張させると共に膨張位置に保持することで、衝撃緩和性能を向上したエアバッグ装置が開示されている（特許文献１参照）。
【０００４】
また、エアバッグの全長より短いストラップを、エアバッグの上端から下端に掛け渡すことで、フロントピラーの外側面に沿って膨張展開するエアバッグ装置が開示されている（特許文献２参照）。
【特許文献１】特開２００２−２８３９３９号公報
【特許文献２】特開２００３−３０６０９９号公報
【発明の開示】
【発明が解決しようとする課題】
【０００５】
しかしながら、特許文献１に記載されたエアバッグ装置では、ピラーに沿った方向に対する膨張方向の制御に関しては、特に記載されていないが、例えば、車体にエアバッグを固定するには、特別な構造を車体に施す必要があった。
【０００６】
また、特許文献２に記載されたエアバッグ装置では、エアバッグの上方に関しては、どこにも係止されておらず、自由に移動できるため、膨張時にエアバッグ上方が車体から浮き上がり、不安定な状態であった。
【０００７】
本発明は、このような事情に鑑みてなされたものであって、その目的は、安定な状態で膨張することで歩行者等を適切に、且つ、ソフトに受け止めるエアバッグ装置を提供することである。
【課題を解決するための手段】
【０００８】
前述の課題を解決するために、請求項１の発明は、エアバッグと、前記エアバッグ内にガスを噴出するインフレータと、衝突を検知する検知手段と、前記検知手段からの信号により前記インフレータを作動させる制御手段と、を備え、車両外側でフロントピラーに沿って配置された前記エアバッグを膨張させるエアバッグ装置において、前記エアバッグに設けた挿通部に挿通され、一端を車両又は前記エアバッグに係止され、他端側で車両に固定された挿通部材に挿通し折り返され、他端を前記エアバッグに係止された展開位置規制手段を備えたことを特徴とする。
【０００９】
また、請求項２の発明は、前記挿通部は、少なくとも前記エアバッグ主膨張部の車両側と、パイプ接続部に設けられることを特徴とする。
【発明の効果】
【００１０】
このように構成された本発明に係るエアバッグ装置によれば、エアバッグに設けた挿通部に挿通され、一端を車両又はエアバッグに係止され、他端側で車両に固定された挿通部材に挿通し折り返され、他端をエアバッグに係止された展開位置規制手段を備えたので、エアバッグの膨張時に、エアバッグに係止された展開位置規制手段の他端が膨張するエアバッグに引っ張られると、展開位置規制手段が緊張して、エアバッグの挿通部が車両側に引きつけられ、エアバッグ自体も車両側に引きつけられることになり、上下方向のリバウンドや車両幅方向の横ブレもなく、安定な状態で迅速に膨張することができる。
【００１１】
また、挿通部は、少なくともエアバッグ主膨張部の車両側と、パイプ接続部に設けられるので、エアバッグを車両側に安定して配置することができる。
【発明を実施するための最良の形態】
【００１２】
以下、図面を用いて、本発明の実施の形態を説明する。
【００１３】
図１は、本実施形態のエアバッグ２０を示す。本実施形態のエアバッグ２０は、１枚の基布を折り返し、縫製し形成され、主膨張部２０ａ、パイプ接続部２０ｂ及び挿通部の一例としての筒状部２０ｃからなる。主膨張部２０ａは、略楕円形の形状を有し、膨張時に歩行者等の衝突対象との衝撃を緩和させる部分である。パイプ接続部２０ｂは、主膨張部２０ａから突出し、パイプ１６が挿入されカシメられる部分である。筒状部２０ｃは、エアバッグ２０の衝撃を受け止める面とは逆に位置し、後述する展開位置規制手段２１が挿通可能に筒状に形成された部分である。なお、筒状部２０ｃは、少なくともエアバッグ２０の主膨張部２０ａの車両側２０ｄと、パイプ接続部２０ｂとに設けられると、エアバッグ２０の全長にわたって位置を規制するので、好ましい。
【００１４】
図２は、エアバッグ２０の一部を拡大した図を示す。図２に示すように、エアバッグ２０の基布は、第１の糸２０１と第２の糸２０２の糸目を長手方向に対して約４５度傾斜させたものである。ここで、長手方向とは、エアバッグ２０の寸法の長い方向であり、必ずしも最長の方向をいうのではなく、多少の傾斜を含むものである。
【００１５】
次に、このような構造のエアバッグ２０が膨張した状態を示す。図３は、膨張した状態のエアバッグ２０、図４は図３のａ−ａ線における断面図、図５は膨張した状態のエアバッグ２０の一部を拡大した図である。
【００１６】
エアバッグ２０が膨張すると、図４に示すように、エアバッグ２０は、主膨張部２０ａのうちパイプ接続部２０ｂに近い部分から膨張を始め、径方向に膨張する。この時、エアバッグ２０の第１の糸２０１と第２の糸２０２の糸目は、図５に示すように、円周方向に延伸し、長手方向に収縮するように変形する。したがって、エアバッグ２０全体としては、図３に示すように、長手方向に収縮し、円周方向に延伸するように膨張する。
【００１７】
このように、糸目を長手方向に対して４５度に傾斜させることにより、０度の糸目とした場合と比較して、膨張時の径が約１０％大きくなる。したがって、基布の使用量が約１０％少なくて済み、低コスト化することができると共に、フロントピラー等の幅の狭い小スペースの収納に対して、膨張時に幅広く膨張することで効率良く収納することができる。
【００１８】
なお、本実施形態では、エアバッグ２０の筒状部２０ｃに後述する展開位置規制手段２１が挿通されているが、エアバッグ２０の膨張時の、円周方向に延伸し、長手方向に収縮する変形を許容するように、エアバッグ２０と展開位置規制手段２１とは強固に固定されていない。
【００１９】
次に、エアバッグ２０を含むエアバッグ装置１０を車両１に搭載した状態を説明する。
【００２０】
図６は、本実施形態のエアバッグ装置を搭載した車両の斜視図、図７は、本実施形態の車両のフロントピラー付近の斜視図、図８は、図７のｂ−ｂ線における断面図である。
【００２１】
図中、１は車両、２はフロントピラー、３はフェンダ、４はフード、５はルーフ、６はウインドシールド、７はシール、１０はエアバッグ装置、１１はカバー、１２はバッグケース、１３はアンカー、１４は挿通部材の一例としてのスルーアンカー、１５はインフレータとしてのガス発生器、１６はパイプ、２０はエアバッグ、２１は展開位置規制手段である。
【００２２】
車両１は、図示しないメンバーあるいはエンジンルームフレームとルーフ５を連結するフロントピラー２を有する。また、フード４、ルーフ５及びフロントピラー２に囲まれ、シール７を介して取り付けられたウインドシールド６を有する。
【００２３】
フロントピラー２のウインドシールド６側及びフェンダ３には、エアバッグ装置１０が収納されている。フロントピラー２は、車両１の外側に面する第１面２ａと、ウインドシールド側に面する第２面２ｂとを有し、第２面２ｂ側には、エアバッグ２０が折り畳まれ、展開位置規制手段２１と共に、バッグケース１２に収納した状態で、カバー１１内に収納されている。
【００２４】
カバー１１は、上部カバー１１ａと側部カバー１１ｂを有する断面略Ｌ字状の部材からなり、フロントピラー２の第２面２ｂ側に折り畳まれたエアバッグ２０を隠蔽するように配置される。なお、折り畳まれたエアバッグ２０をバッグケース１２に収納せず、カバー１１内に直接収納してもよい。
【００２５】
展開位置規制手段２１は、紐状や帯状の部材からなり、一端２１ａはアンカー１３によりフロントピラー２根本部等の車体側に係止され、他端２１ｂはスルーアンカー１４の挿通孔１４ａを通して、縫製や接着等によりエアバッグ２０に係止される。例えば、エアバッグ２０に挿通孔を有する部分等を設けて係止すると好ましい。また、中間部２１ｃはエアバッグ２０に縫製等により作成した筒状部２０ｃに挿通される。
【００２６】
なお、一端２１ａは、ガス発生器１５やエアバッグ２０に係止されるように構成してもよい。また、スルーアンカー１４は、展開位置規制手段２１に摩擦等が大きく影響しないようにガイドや滑車等を備えた滑らかな構造としてもよい。さらに、本実施形態では、筒状部２０ｃは、エアバッグ２０のフロントピラー２に沿った略全長にわたって設けられているが、例えば、間隔をあけて複数設けてもよい。また、なるべくエアバッグ２０両端の近くに筒状部２０ｃを設けると、エアバッグ２０の安定がより強くなり、好ましい。
【００２７】
フェンダ３あるいはフード４下には、エアバッグ２０を膨張させるガスを発生するガス発生器１５と、ガス発生器１５で発生したガスをエアバッグ２０に供給するパイプ１６等が収納されている。
【００２８】
次に、本実施形態のエアバッグ装置１０の作動について説明する。図９は、本実施形態のエアバッグ装置１０の作動を示す図である。
【００２９】
図７に示すような収納状態にあるエアバッグ装置１０は、車両１が図示しない衝突対象と衝突し、車両１に発生した衝撃力を図示しない検知手段等で検知した場合、その検知信号に基づき制御手段等により作動される。
【００３０】
図９（ａ）は、エアバッグ装置１０が作動を始め、フェンダ３に収納したガス発生器１５からパイプ１６を通じてエアバッグ２０内にガスが流入し、エアバッグ２０が膨張し始めた膨張初期段階を示している。膨張初期段階では、フェンダ３側からエアバッグ２０が膨張を始め、膨張圧力により、図７及び図８で示したカバー１１が開く。
【００３１】
図９（ｂ）は、ガス発生器１５からパイプ１６を通じてエアバッグ２０内にガスが流入し、エアバッグ２０が膨張し続ける膨張中期段階を示している。膨張中期段階では、エアバッグ２０全体が折り畳まれた状態から完全に外部に露出する。この時、展開位置規制手段２１に張力は、生じておらず、エアバッグ２０の膨張が続けられる。
【００３２】
図９（ｃ）は、エアバッグ２０の膨張が完了した膨張完了段階を示している。膨張完了段階では、エアバッグ２０が完全に膨張する。膨張完了段階のエアバッグ装置１０の状態を以下に説明する。
【００３３】
図１０は、膨張完了段階のフロントピラー２付近の斜視図、図１１は図１０のｃ−ｃ線における断面図、図１２はスルーアンカー１４付近の拡大図である。
【００３４】
膨張完了段階では、エアバッグ２０は、フェンダ３及びフード４の一部上方とフロントピラー２の前方で、フロントピラー２に沿う方向に展開する。
【００３５】
この時、エアバッグ２０に係止された展開位置規制手段２１の他端２１ｂが、エアバッグ２０の膨張に対応して、矢印Ａに示すように、ルーフ５とは逆方向に引っ張られる。これにより、スルーアンカー１４に対して展開位置規制手段２１の中間部２１ｃは、矢印Ｂに示すように、ルーフ５側に引っ張られ、ウインドシールド６及びフロントピラー２側に押し付けられる状態となる。そして、図１０に示すように、展開位置規制手段２１を挿通しているエアバッグ２０もウインドシールド６及びフロントピラー２側に押し付けられる状態となる。なお、展開位置規制手段２１は複数設けてもよい。
【００３６】
また、本実施形態では、ガス発生器１５をフェンダ３に収納する構造としたが、ルーフ５側に収納する構造としてもよい。その際、アンカー１３及びスルーアンカー１４も逆の配置とし、アンカー１３をルーフ５側に配置し、スルーアンカー１４をフェンダ３側に配置するとよい。
【００３７】
このように、エアバッグ２０に設けた筒状部２０ｃに挿通され、一端２１ａを車両１又はエアバッグ２０に係止され、他端２１ｂ側で車両１に固定されたスルーアンカー１４に挿通し折り返され、他端２１ｂをエアバッグ２０に係止された展開位置規制手段２１を備えたので、エアバッグ２０の膨張時に、エアバッグ２０に係止された展開位置規制手段２１の他端２１ｂが膨張するエアバッグ２０に引っ張られると、展開位置規制手段２１が緊張して、エアバッグ２０の筒状部２０ｃが車両１側に引きつけられ、エアバッグ２０自体も車両１側に引きつけられることになり、上下方向のリバウンドや車両１幅方向の横ブレもなく、安定な状態で迅速に膨張することができる。
【００３８】
また、筒状部２０ｃは、少なくともエアバッグ２０の主膨張部２０ａの車両側２０ｄと、パイプ接続部２０ｂに設けられるので、エアバッグ２０を車両１側に安定して配置することができる。
【産業上の利用可能性】
【００３９】
本発明に係るエアバッグ装置によれば、エアバッグに設けた挿通部に挿通され、一端を車両又はエアバッグに係止され、他端側で車両に固定された挿通部材に挿通し折り返され、他端をエアバッグに係止された展開位置規制手段を備えたので、エアバッグの膨張時に、エアバッグに係止された展開位置規制手段の他端が膨張するエアバッグに引っ張られると、展開位置規制手段が緊張して、エアバッグの挿通部が車両側に引きつけられ、エアバッグ自体も車両側に引きつけられることになり、上下方向のリバウンドや車両幅方向の横ブレもなく、安定な状態で迅速に膨張することができる。
【００４０】
また、挿通部は、少なくともエアバッグ主膨張部の車両側と、パイプ接続部に設けられるので、エアバッグを車両側に安定して配置することができる。
【図面の簡単な説明】
【００４１】
【図１】本発明にかかるエアバッグの実施の形態を示す図である。
【図２】本実施形態のエアバッグの一部を拡大した図である。
【図３】本実施形態の膨張した状態のエアバッグを示す図である。
【図４】図３のａ−ａ線における断面図である。
【図５】図３のエアバッグの一部を拡大した図である。
【図６】本実施形態のエアバッグ装置を搭載した車両の斜視図である。
【図７】本実施形態の車両のフロントピラー付近の斜視図である。
【図８】図７のｂ−ｂ線における断面図である。
【図９】本実施形態のエアバッグ装置１０の作動を示す図である。
【図１０】本実施形態のエアバッグ膨張完了段階のフロントピラー付近の斜視図である。
【図１１】図１０のｃ−ｃ線における断面図である。
【図１２】本実施形態のエアバッグ膨張完了段階のスルーアンカー付近の拡大図である。
【符号の説明】
【００４２】
１…車両、２…フロントピラー、３…フェンダ、４…フード、５…ルーフ、６…ウインドシールド、７…シール、１０…エアバッグ装置、１１…カバー、１２…バッグケース、１３…アンカー、１４…スルーアンカー（挿通部材）、１５…ガス発生器（インフレータ）、１６…パイプ、２０…エアバッグ、２０ｃ…筒状部（挿通部）２１…展開位置規制手段
【図１】
0004906667.tif 000002
【図２】
0004906667.tif 000003
【図３】
0004906667.tif 000004
【図４】
0004906667.tif 000005
【図５】
0004906667.tif 000006
【図６】
0004906667.tif 000007
【図７】
0004906667.tif 000008
【図８】
0004906667.tif 000009
【図９】
0004906667.tif 000010
【図１０】
0004906667.tif 000011
【図１１】
0004906667.tif 000012
【図１２】
0004906667.tif 000013